(57)【特許請求の範囲】
【請求項１】
巻取機の回転軸に装着されて、光ファイバ巻き取り用ボビンの外側の第１の鍔部との間で、巻き取るべき光ファイバの巻き始め側の端末部分を挟持し、その端末部分を固定するための光ファイバ巻き取り用の光ファイバ端末固定具であって、かつ前記第１の鍔部の外周縁部の一部にファイバ導入溝が形成された光ファイバ巻き取り用ボビンと組合わせて使用するための光ファイバ端末固定具において、
全体として円盤状をなす基体からなり、
かつ前記円盤状基体の盤面には、ボビンの前記第１の鍔部との間で光ファイバの端末部分を挟む挟持面を有し、
さらに前記円盤状基体におけるボビン側の盤面の外周側の一部には、ボビンに向かって突出して、少なくとも一部が前記ファイバ導入溝内に挿入される隆起部が形成されており、
前記円盤状基体の半径方向における前記隆起部の断面形状が、略三角形状とされていることを特徴とする光ファイバ巻き取り用の光ファイバ端末固定具。
【請求項２】
前記円盤状基体における中心軸線位置から前記隆起部における前記中心軸線位置側の立ち上がり基端までの距離が、前記ボビンにおける第１の鍔部の半径より小さく、かつボビンの中心軸線位置から前記ファイバ導入溝の底部までの距離より大きく定められ、さらに前記隆起部における前記ファイバ導入溝に挿入される部分の円盤状基体の周方向への長さが、第１の鍔部の周方向へのファイバ導入溝の長さより小さく定められている請求項１に記載の光ファイバ巻き取り用の光ファイバ端末固定具。
【請求項３】
請求項１、請求項２のいずれかの請求項に記載の光ファイバ端末固定具と、前記第１の鍔部とその第１の鍔部の隣の第２の鍔部との間に第１の巻取部が区画形成されかつ前記第１の鍔部の外周縁部の一部にファイバ導入溝が形成されたボビンとを用い、
光ファイバの巻き始め側の端末部分を、前記光ファイバ端末固定具の挟持面と前記ボビンの前記第１の鍔部との間に挟んで固定するとともに、光ファイバの一部を、前記隆起部によってボビン側に押しやり、続いて前記光ファイバ端末固定具とボビンとを一体に回転させて、光ファイバの一部を、前記光ファイバ端末固定具の隆起部の外面と前記第１の鍔部の光ファイバ導入溝の内側縁面との間の隙間を通って第１の鍔部の内側の第１の巻取部に導入させ、第１の巻取部に光ファイバを巻き取ることを特徴とする光ファイバ巻き取り方法。
【請求項４】
請求項１、請求項２のいずれかの請求項に記載の光ファイバ端末固定具と、前記第１の鍔部とその第１の鍔部の隣の第２の鍔部との間に第１の巻取部が区画形成されかつ前記第１の鍔部の外周縁部の一部にファイバ導入溝が形成されたボビンとを用い、
光ファイバの巻き始め側の端末部分を、前記光ファイバ端末固定具の挟持面と前記ボビンの前記第１の鍔部との間に挟んで固定し、光ファイバ端末固定具とボビンとを一体に回転させて、光ファイバの一部を、前記光ファイバ端末固定具の隆起部の外面と前記第１の鍔部の光ファイバ導入溝の内側縁面との間の隙間に落とし込むことにより、前記第１の鍔部の内側の第１の巻取部に導入させ、第１の巻取部に光ファイバを巻き取ることを特徴とする光ファイバ巻き取り方法。
【請求項５】
前記ボビンおよび前記光ファイバ端末固定具の各部位の寸法を、
Ａ：ボビンの第１の巻取部の幅、
Ｂ：ボビンの前記第１の鍔部の厚み、
Ｃ１：ボビンの前記第１の鍔部の高さ、
Ｃ２：ボビンの前記第１の鍔部の導入溝の深さ、
Ｒ：導入溝の側縁が面取りされている場合の面取り部分の曲率半径（但しＲ＝０を含む）、
Ｄ：光ファイバ端末固定具における前記挟持面の延長面から前記隆起部の頂部までの高さ、
Ｅ：ボビンおよび光ファイバ端末固定具の半径方向における、ボビンの前記第１の鍔部の外周縁から光ファイバ端末固定具の隆起部の頂部までの距離、
Ｌ：ボビンの回転軸と平行な方向における、前記第１の鍔部と前記第２の鍔部との間の間隔、
と定義し、次の（１）式、（２）式および（３）式が満たされるように、前記ボビンおよび前記光ファイバ端末固定具の各部位の寸法を定めておくことを特徴とする請求項３もしくは請求項４に記載の光ファイバ巻き取り方法。
【数１】
0005851453.tif 000013
【数２】
0005851453.tif 000014
【数３】
0005851453.tif 000015
【請求項６】
前記ボビンとして、前記第１の鍔部および第２の鍔部のほか、第３の鍔部を有し、前記第１の鍔部と第３の鍔部が回転軸線に沿った方向の両端側に形成され、前記第２の鍔部が第１の鍔部と第３の鍔部との間に形成され、かつ前記第１の鍔部と第２の鍔部との間に、第１の巻取部が区画形成され、第２の鍔部と第３の鍔部との間に、第２の巻取部が区画形成され、しかも前記第１の巻取部は回転軸線に沿った方向の幅が、前記第２の巻取部の回転軸線に沿った方向の幅よりも小さく定められたものを用いることを特徴とする請求項３〜請求項５のいずれかの請求項に記載の光ファイバ巻き取り方法。
【請求項７】
前記ボビンとして、前記第１の鍔部の外径が前記第２の鍔部の外径よりも小さいものを用いることを特徴とする請求項６に記載の光ファイバ巻き取り方法。
【発明の詳細な説明】
【技術分野】
【０００１】
本発明は、鍔部を有する光ファイバ巻き取り用ボビンの鍔部間の巻取部に光ファイバを巻き取るにあたって、その巻き始めに際し、光ファイバの巻き始め端末をボビンに固定するための光ファイバ端末固定具、およびその固定具を用いてボビンに光ファイバを巻き取る方法に関するものであり、とりわけ端末をボビンに固定した光ファイバを、巻取部上に導くために好適な光ファイバ端末固定具、およびそれを使用した巻き取り方法に関するものである。
【背景技術】
【０００２】
光ファイバ素線の製造工程や光ファイバ心線の製造工程などにおいては、光ファイバ素線もしくは光ファイバ心線（本明細書では、これらを総称して光ファイバと称する）を、ボビンに光ファイバを巻き取ることが行なわれる。ボビンとしては、円筒状をなす巻取部（いわゆる巻き胴）の両端に鍔部が設けられたものを用いて、そのボビンを巻取機に装着し、巻き取るべき光ファイバの先端部分を、ボビンもしくはボビンと一体に回転する部分に固定し、光ファイバにテンション（巻き取り張力）を付与しながらボビンを回転させることによって、鍔部間の巻取部（巻胴）の外周面に光ファイバを巻き取るのが通常である。
【０００３】
ここで、光ファイバの巻き取りを開始するに当たっては、前述のように巻き取るべき光ファイバの先端部分を、ボビンもしくはボビンと一体に回転する部分に固定する必要があるが、その場合、一般には、ボビンの一端側の鍔部の外側の面と、それに対向する巻取機側の面との間に挟み込むのが通常である。その場合、光ファイバの端末は鍔部の外面側に固定されるから、光ファイバを鍔部の内側の巻取部に光ファイバを巻き取るためには、巻き取り開始の初期において光ファイバを鍔部の外面側から鍔部を乗り越えて内側の巻取部の外周面に落としこむ（導入する）必要がある。
【０００４】
このように鍔部の外面側での光ファイバの端末を固定して、光ファイバを鍔部内側の巻取部外周面に導入するための従来の方法、とりわけその導入を自動的に行なう方法としては、例えば特許文献１に示される方法が広く採用されている。この従来方法を、図２２〜図２４に模式的に示す。
【０００５】
図２２、図２３において、ボビン１は、円筒状をなす巻胴（巻取部）３の両端に、巻胴３の外径よりも大径の鍔部５Ａ、５Ｂを形成した構成とされている。一方、巻取機の回転軸７には、その回転軸７と一体に回転する円盤状の固定盤９が設けられている。そして、その固定盤９の盤面に鍔部５Ａの外面が対向するように、ボビン１が巻取機の回転軸７に装着される。一方光ファイバ１１は、トラバーサなどのガイドローラ１３を経て、ボビン１に向けて供給されるが、巻き取り開始前（ボビンの回転開始前）の段階で、巻き取るべき光ファイバ１１の先端部分を固定盤９と鍔部５Ａとの間に挟んで固定する。一方、鍔部５Ａの外周側付近には、トラバーサのガイドローラ１３からボビン１に供給される光ファイバ１１の走行位置を規制するための横移動部材１５を配置しておき、初期段階において横移動部材１５をボビン１の回転軸線と平行に他方の鍔部５Ｂに向けて移動させ、これによって光ファイバ１１を、鍔部５Ａを乗り越えて巻き胴３の外周上に落とし込むことが行なわれる。なお、鍔部５Ａの外周部分には、図２４に示すように、その外周縁部から内側に切り欠かれた導入溝１７を形成しておき、横移動部材１５により横移動させられる光ファイバ１１を、鍔部５Ａの外周縁面５Ａａから導入溝１７内に落ち込ませ、これによって鍔部５Ａの内側の巻胴３の外周面に落とし込むことを可能としている。
【０００６】
ところで、光ファイバの製造工程などにおいては、図２５に示すようなボビン２０を用いることがある。このボビン２０は、回転軸線に沿った方向への幅Ｗ１が極めて狭い短円筒状の第１の巻取部（以下、幅狭巻取部と称する；一般に幅Ｗ１は数ｍｍ程度）２１と、回転軸線に沿った方向への幅Ｗ２が、幅狭巻取部２１の幅Ｗ１よりも格段に広い円筒状の第２の巻取部（以下、幅広巻取部と称する；一般に幅Ｗ２は数十ｍｍ以上）２３とを、中間鍔部２５Ｂを境界として直列上に一体化したものである。すなわち幅狭巻取部２１は、ボビン２０の全体の一端側（回転軸線に沿った方向の一端側）に位置する第１の鍔部２５Ａと前記中間鍔部（第２の鍔部）２５Ｂとの間に区分形成され、幅広巻取部２３は、ボビン２０の全体の他端側に位置する第３の鍔部２５Ｃと前記中間鍔部（第２の鍔部）２５Ｂとの間に区分形成されている。なお、幅狭巻取部２１の外側の第１の鍔部２５Ａの径ｄ１は、幅広巻取部２１の両側の鍔部（第２の鍔部（中間鍔部）２５Ｂおよび外側の第３の外側鍔部２５Ｃ）の径ｄ２よりも小さい径とされている。
【０００７】
このようなボビン２０の幅狭巻取部２１は、光ファイバにおける特性を測定するための部分を巻き取るために使用されるのが通常である。すなわち、巻き取り開始後の初期段階で光ファイバの端末側の短い部分（数ｍ程度）を幅狭巻取部２１に巻き取り、その後に残りの光ファイバの大部分を幅広巻取部２３に長尺に巻き取ることが行なわれる。そしてボビンに巻き取られた光ファイバの特性測定を行うために、幅狭巻取部２１に巻き取られた部分が利用されるのが一般的である。
【０００８】
上述のように極めて狭い幅の巻取部２１に光ファイバを巻き取るにあたって、前述の図２２〜図２４に示される従来の方法を適用しようとした場合、実際上は巻取りが困難となることが多い。その理由を、図２６を参照して説明する。
すなわち、大径の第２の鍔部（中間鍔部）２５Ｂの外周側に位置する横移動部材１５を矢印２６の方向へ移動させて光ファイバ１１を押したとしても、光ファイバ１１が第２の鍔部２５Ｂを乗り越えて移行し得る状態（第２の鍔部２５Ｂに対する角度が一定以上となる状態）となる前に、光ファイバ１１が、第２の鍔部２５の角部に当接（図２６中の丸囲い部分２４において当接）してしまって、小径の第１の鍔部２５と大径の第２の鍔部２５Ｂとの間では、光ファイバ１１がそれより先へは動けなくなって、外側の第１の鍔部２５Ａと中間の第２の鍔部２５Ｂとの間の幅狭巻取部２１に光ファイバ１１を落とし込むことができなくなるためである。
【０００９】
そのため、図２５に示すような幅狭巻取部２１を有するボビン２０を用いて、光ファイバ１１を幅狭巻取部２１に巻き付けるにあたっては、光ファイバ１１の端末を、第２の鍔部２５Ｂの基端部分に形成されるファイバ通し用の貫通穴もしくは第２の鍔部２５Ｂの半径方向に沿って形成されたスリット（図示せず）に通して幅狭巻取部２１に導き、手作業によって光ファイバ１１を幅狭巻取部２３に巻き付けた後、光ファイバ１１の端末を固定せざるを得なかった。すなわち、光ファイバ１１の端末の固定作業と、幅広巻取部２１への巻き付け作業は自動化し得るにもかかわらず、幅狭巻取部２１への巻き付けは自動化することができず、それが光ファイバ巻き取り全自動化による巻き取り工程の省力化、生産性向上の大きなネックとなっていたのである。
【００１０】
なお、以上のところでは、一つのボビン２０に、極めて小さい幅Ｗ１の第１の巻取部（幅狭巻取部）２１と、大きな幅Ｗ２の第２の巻取部（幅広巻取部）２３との両者が形成されている場合について説明したが、一つの巻取部のみを有するボビンであっても、その巻取部の幅が極めて狭い場合には、上記と同様な問題が発生する可能性がある。
【先行技術文献】
【特許文献】
【００１１】
【特許文献１】特開２０００−７２３２９号公報
【発明の概要】
【発明が解決しようとする課題】
【００１２】
本発明は以上の事情を背景としてなされたもので、ボビンへの光ファイバの巻き取り開始にあたって、光ファイバの端末をボビンの鍔部の外面側に挟んで固定するための固定具として、単に光ファイバの端末を挟持するだけではなく、幅の狭い巻取部を有するボビンの場合においても、その幅の狭い巻取部に光ファイバを導入させる機能を付与した光ファイバ端末固定具を提供し、併せてその光ファイバ端末固定具を用いて巻き取りを行なうことによって、幅の狭い巻取部にも光ファイバを容易かつ確実に導入することが可能な光ファイバ巻き取り方法を提供し、これによって幅が狭い巻取部に対する光ファイバの巻き付け作業も、手作業によらずに自動化し得るようにして、幅が狭い巻取部を有するボビンを用いての巻き取り作業の省力化、能率向上を図ることを課題としている。
【課題を解決するための手段】
【００１３】
本発明は、基本的には、ボビンの外側の鍔部に光ファイバの端末を挟んで固定・保持するための固定具、すなわち従来技術として示した図２３における固定盤９に対応する部材について、その形状を従来とは変えることによって、その固定具に、幅の狭い巻取部に光ファイバを容易かつ確実に導入させる機能を付与し得ることを見い出してなされたものである。
【００１４】
すなわち本発明の基本的な態様（第１の態様）による光ファイバ巻き取り用の光ファイバ端末固定具は、
巻取機の回転軸に装着されて、光ファイバ巻き取り用ボビンの外側の第１の鍔部との間で、巻き取るべき光ファイバの巻き始め側の端末部分を挟持し、その端末部分を固定するための光ファイバ巻き取り用の光ファイバ端末固定具であって、かつ前記第１の鍔部の外周縁部の一部にファイバ導入溝が形成された光ファイバ巻き取り用ボビンと組合わせて使用するための光ファイバ端末固定具において、
全体として円盤状をなす基体からなり、
かつ前記円盤状基体の盤面には、ボビンの前記第１の鍔部との間で光ファイバの端末部分を挟む挟持面を有し、
さらに前記円盤状基体におけるボビン側の盤面の外周側の一部には、ボビンに向かって突出して、少なくとも一部が前記ファイバ導入溝内に挿入される隆起部が形成されており、
前記円盤状基体の半径方向における前記隆起部の断面形状が、略三角形状とされていることを特徴とするものである。
【００１５】
また本発明の第２の態様による光ファイバ巻き取り用の光ファイバ端末固定具は、前記第１の態様の光ファイバ端末固定具において、
前記円盤状基体における中心軸線位置から前記隆起部における前記中心軸線位置側の立ち上がり基端までの距離が、前記ボビンにおける第１の鍔部の半径より小さく、かつボビンの中心軸線位置から前記ファイバ導入溝の底部までの距離より大きく定められ、さらに前記隆起部における前記ファイバ導入溝に挿入される部分の円盤状基体の周方向への長さが、第１の鍔部の周方向へのファイバ導入溝の長さより小さく定められているものである。
【００１７】
また本発明の第３〜第７の態様は、上述のような光ファイバ端末固定具を用いた光ファイバの巻き取り方法についての態様である。
【００１８】
すなわち本発明の第３の態様による光ファイバ巻き取り方法は、
前記第１、第２のいずれかの態様の光ファイバ端末固定具と、前記第１の鍔部とその第１の鍔部の隣の第２の鍔部との間に第１の巻取部が区画形成されかつ前記第１の鍔部の外周縁部の一部にファイバ導入溝が形成されたボビンとを用い、
光ファイバの巻き始め側の端末部分を、前記光ファイバ端末固定具の挟持面と前記ボビンの前記第１の鍔部との間に挟んで固定するとともに、光ファイバの一部を、前記隆起部によってボビン側に押しやり、続いて前記光ファイバ端末固定具とボビンとを一体に回転させて、光ファイバの一部を、前記光ファイバ端末固定具の隆起部の外面と前記第１の鍔部の光ファイバ導入溝の内側縁面との間の隙間を通って第１の鍔部の内側の第１の巻取部に導入させ、第１の巻取部に光ファイバを巻き取ることを特徴とするものである。
【００１９】
また本発明の第４の態様による光ファイバ巻き取り方法は、
前記第１、第２のいずれかの態様の光ファイバ端末固定具と、前記第１の鍔部とその第１の鍔部の隣の第２の鍔部との間に第１の巻取部が区画形成されかつ前記第１の鍔部の外周縁部の一部にファイバ導入溝が形成されたボビンとを用い、
光ファイバの巻き始め側の端末部分を、前記光ファイバ端末固定具の挟持面と前記ボビンの前記第１の鍔部との間に挟んで固定し、光ファイバ端末固定具とボビンとを一体に回転させて、光ファイバの一部を、前記光ファイバ端末固定具の隆起部の外面と前記第１の鍔部の光ファイバ導入溝の内側縁面との間の隙間に落とし込むことにより、前記第１の鍔部の内側の第１の巻取部に導入させ、第１の巻取部に光ファイバを巻き取ることを特徴とするものである。
【００２０】
さらに本発明の第５の態様による光ファイバ巻き取り方法は、前記第４もしくは第５の態様の光ファイバ巻き取り方法において、
前記ボビンおよび前記光ファイバ端末固定具の各部位の寸法を、
Ａ：ボビンの第１の巻取部の幅、
Ｂ：ボビンの前記第１の鍔部の厚み、
Ｃ１：ボビンの前記第１の鍔部の高さ、
Ｃ２：ボビンの前記第１の鍔部の導入溝の深さ、
Ｒ：導入溝の側縁が面取りされている場合の面取り部分の曲率半径（但しＲ＝０を含む）、
Ｄ：光ファイバ端末固定具における前記挟持面の延長面から前記隆起部の頂部までの高さ、
Ｅ：ボビンおよび光ファイバ端末固定具の半径方向における、ボビンの前記第１の鍔部の外周縁から光ファイバ端末固定具の隆起部の頂部までの距離、
Ｌ：ボビンの回転軸と平行な方向における、前記第１の鍔部と前記第２の鍔部との間の間隔、
と定義し、次の（１）式、（２）式および（３）式が満たされるように、前記ボビンおよび前記光ファイバ端末固定具の各部位の寸法を定めておくことを特徴とするものである。
【００２１】
【数１】
0005851453.tif 000002
【００２２】
【数２】
0005851453.tif 000003
【００２３】
【数３】
0005851453.tif 000004
【００２４】
さらに本発明の第６の態様による光ファイバ巻き取り方法は、前記第３〜第５のいずれかの態様の光ファイバ巻き取り方法において、
前記ボビンとして、前記第１の鍔部および第２の鍔部のほか、第３の鍔部を有し、前記第１の鍔部と第３の鍔部が回転軸線に沿った方向の両端側に形成され、前記第２の鍔部が第１の鍔部と第３の鍔部との間に形成され、かつ前記第１の鍔部と第２の鍔部との間に、第１の巻取部が区画形成され、第２の鍔部と第３の鍔部との間に、第２の巻取部が区画形成され、しかも前記第１の巻取部は回転軸線に沿った方向の幅が、前記第２の巻取部の回転軸線に沿った方向の幅よりも小さく定められたものを用いることを特徴とするものである。
【００２５】
そして本発明の第７の態様による光ファイバ巻き取り方法は、前記第６の態様の光ファイバ巻き取り方法において、
前記ボビンとして、前記第１の鍔部の外径が前記第２の鍔部の外径よりも小さいものを用いることを特徴とするものである。
【発明の効果】
【００２６】
本発明の光ファイバ端末固定具を用いれば、ボビンへの光ファイバの巻き取りを開始するにあたって、光ファイバの巻き始め側の端末をボビンの鍔部の外面側に挟んで挟持するだけではなく、幅の狭い巻取部を有するボビンの場合においても、その幅の狭い巻取部に光ファイバを確実かつ容易に導入させることができる。また本発明の巻き取り方法によれば、その光ファイバ端末固定具を用いて巻き取りを行なうことによって、幅が狭い巻取部に対する光ファイバの巻き付け作業を、手作業によらずに自動化することが可能であり、したがって、幅が狭い巻取部を有するボビンを用いての巻き取り作業の省力化、能率向上を図ることができる。
なおまた、本発明では、光ファイバ端末固定具に、巻き取り開始時における巻き取り開始補助部材の機能（例えば従来法における横移動部材の機能など）を担わせているため、別に巻き取り開始補助部材を配置するためのスペースを省くことも可能であり、したがって巻取機周辺の省スペース化にも寄与しうるとともに、巻き始め端末の固定後に改めて巻取補助部材を作動させる必要がないため、巻取部に対する巻取開始までに要する時間も短くすることができる。
【図面の簡単な説明】
【００２７】
【図１】本発明の一実施形態の光ファイバ端末固定具を示す右側面図である。
【図２】図１のＩＩ−ＩＩ線における断面図である。
【図３】図１、図２に示される光ファイバ端末固定具と組合わせて使用されるボビンの一例を示す左側面図である。
【図４】図３に示されるボビンの部分切欠正面図である。
【図５】図３に示されるボビンの外側の第１の鍔部について、その導入溝の付近を拡大して示す左側面図である。
【図６】図５のＶＩ―ＶＩ線における断面図である。
【図７】図６のＶＩＩ―ＶＩＩ線における断面図である。
【図８】図１、図２に示される光ファイバ端末固定具と、図３、図４に示されるボビンとを組合わせて光ファイバの巻き取りを開始するに当たって、光ファイバの巻き初め側端末の固定前の段階を示す部分切欠正面図である。
【図９】図８の段階に続いて、光ファイバの巻き初め側端末を固定した段階を示す部分切欠正面図である。
【図１０】図８の要部を拡大して示す断面図である。
【図１１】ボビンを回転させて光ファイバが導入溝に導入される状況を(ａ)〜（ｃ）として段階的に示す、左側面側からの模式図である。
【図１２】図１１の（ｂ）、（ｃ）に対応する上面側からの模式図を（ａ）、(ｂ)として示す図である。
【図１３】光ファイバ端末固定具およびボビンの各部の寸法の定義を示す、図１０と同様な位置での模式図である。
【図１４】本発明の光ファイバ端末固定具とボビンについての各部の望ましい寸法関係を導き出すための説明図で、導入溝の側縁が面取りされていない場合について従来法を実施したときの状況を示す第１の説明図である。
【図１５】図１４と同様な状況についての第２の説明図である。
【図１６】図１４と同様な状況についての第３の説明図である。
【図１７】本発明の光ファイバ端末固定具とボビンについての各部の望ましい寸法関係を導き出すための説明図で、導入溝の側縁が面取りされている場合について従来法を実施したときの状況を示す第１の説明図である。
【図１８】図１７と同様な状況についての第２の説明図である。
【図１９】図１６と同様な状況についての第３の説明図である。
【図２０】導入溝に関して説明するための模式図である。
【図２１】本発明の方法により光ファイバを幅の狭い巻取部に巻き取る場合の光ファイバ端末固定具およびボビンの各部の寸法関係を示す略解図である。
【図２２】光ファイバの巻き始め端末付近をボビンの巻胴に導入するための従来方法の一例を示す模式的な左側面図である。
【図２３】図２２に対する模式的な正面図である。
【図２４】図２２に示される従来方法を実施する際の鍔部の導入溝を示す斜視図である。
【図２５】光ファイバの巻き取りに使用されるボビンの一例を示す略解的な正面図である。
【図２６】従来方法によって図２５に示されるボビンに光ファイバの巻き始め端末付近を巻き付けようとした際の状況を示す模式図である。
【発明を実施するための形態】
【００２８】
以下、本発明の実施形態について詳細に説明する。
図１、図２には、本発明の光ファイバ端末固定具の一例の全体構成を示す。
図１、図２において、光ファイバ端末固定具３０は、例えばＡＢＳ樹脂などの比較的硬質な樹脂あるいはアルミなどの金属によって、全体として円盤状をなす基体（円盤状基体）３２によって構成されている。その円盤状基体３２の中央部には、図示しない巻取機の回転軸を挿通させるための軸孔３４が、中心軸線Ｏに沿って貫通形成されている。さらにその円盤状基体３２の一方の盤面３２Ａにおける外周縁に近い部分の一部には、中心軸線Ｏと平行な方向に突出する隆起部３６が形成されている。
【００２９】
前記隆起部３６は、円盤状基体３２の周方向の一部に形成されており、その隆起部３６における円盤状基体３２の半径方向の断面形状は、頂部（最大突出位置の箇所）３６Ａの両側が傾斜面３６Ｂ、３６Ｃとされた三角形状もしくはそれに類する形状とされている。すなわち隆起部３６は、頂部３６Ａに向かって円盤状基体３２の外周縁から縮径方向に傾斜する外周側傾斜面３６Ｂと、円盤状基体３２の内側盤面３２Ａから頂部３６Ａに向かって拡径方向に傾斜する内周側傾斜面３６Ｃとによって、その断面の三角形状もしくはそれに類する形状の輪郭が形成されている。ここで、隆起部３６は、光ファイバと接触する部位であるから、光ファイバを傷つけることや引っ掛けることがないよう、表面を平滑にしておくことが望ましい。特に隆起部３６の頂部３６Ａは、滑らかな円弧面となるように面取りした形状とすることが望ましい。
【００３０】
また円盤状基体３２における内側の盤面３２Ａ、すなわち隆起部３６が突出している側と同じ側の盤面３２Ａは、後述するボビン２０の小径外側鍔部（第１の鍔部）２５Ａに対面して、光ファイバの巻き始め端末部分を挟んで固定するための挟持面３８とされている。ここで、円盤状基体３２における隆起部３６よりも内側の盤面３２Ａについて、円盤状基体３２の材質を適切に選定するか、あるいは表面粗面化処理、粗面化加工を施すことによって、光ファイバ端末が滑らない程度の摩擦係数を有する平坦面とし、その平坦面自体が前記挟持面３８の機能を果たすようにしてもよく、あるいは図示はしないが、ゴムなどの摩擦係数が高い材料からなるシート状緩衝材を内側盤面３２Ａに貼着して挟持面３８を形成しても良い。なおシート状緩衝材を内側盤面３２Ａに貼着して挟持面３８を形成する場合、そのシート状緩衝部材は、必ずしも内側盤面３２Ａの全面に貼着する必要はなく、内側盤面３２Ａの一部に貼着したり、複数に分割して内側盤面３２Ａの複数の箇所に貼着して、複数の挟持面３８を形成したりしても良い。
【００３１】
ここで、本実施形態において隆起部３６における半径方向の断面形状が三角形状もしくはそれに類する形状（略三角形状）としている理由について、後述する図３、図４のボビン２０との関係に基づいて、次に説明する。
【００３２】
隆起部３６の内周側傾斜面３６Ｃは、端末を挟持した光ファイバに強い曲げを加えず、傷付けないために有効に機能する。仮にこの内周側傾斜面３６Ｃに対応する部位が階段状になっていたとすれば、光ファイバが階段の角に押し当てられて急激に曲がり、また階段の角に擦れて傷付く恐れがある。
【００３３】
一方、外周側傾斜面３６Ｂは、光ファイバの走行軌道が多少乱れた場合でも、光ファイバを逃がすことなく、光ファイバを第１の巻取部（幅狭巻取部）２１に巻き取るために有効に機能する。仮に外周側傾斜面３６Ｂに対応する箇所が、円盤状基体３２の盤面に垂直な面（あるいは図２とは逆向きの斜面）になっていたとすれば、光ファイバは円盤状基体３２の外周上あるいはボビンとは反対側の部材（光ファイバ端末固定具３０の外周上や巻取機側）に巻き取られる恐れがある。
【００３４】
さらに光ファイバ端末固定具３０の隆起部３６は、少なくともその一部が、後述するようにボビン２０の外側の第１の鍔部２５Ａの外周縁に形成された導入溝２８の内側に挿入されるように定められている。また光ファイバ端末固定具３０の挟持面３８は、後述するように挟持面３８をボビン２０の外側の第１の鍔部２５Ａの外面（平坦面）に密着させる必要があり、そこで隆起部３６は、その挟持面３８の第１の鍔部２５Ａの外面（平坦面）に対する密着を妨げないように形成されている。
【００３５】
そして上記のように隆起部３６の少なくとも一部を導入溝２８内に挿入するため、円盤状基体３２の中心軸線Ｏから隆起部３６における内周側傾斜面３６Ｃの基端（立ち上がり箇所）３６Ｃａまでの距離ｒ３は、第１の巻取部（幅狭巻取部）２１の外側の第１の鍔部２５Ａの半径ｒ１(図４参照)より小さい径とする。また同時に、隆起部３６における導入溝２８に挿入される部分の円盤状基体の周方向への長さが、導入溝２８の周方向への長さより小さくなるように定められている。さらに、第１の鍔部２５Ａの外面（平坦面）に対する挟持面３８の密着を妨げないようにするため、上記の距離ｒ３は、ボビンの中心軸線Ｏの位置から導入溝２８の底部までの距離ｒ２(図４参照)より大きく定められている。
【００３６】
さらに光ファイバ端  またここで、固定具３０の隆起部３６の少なくとも一部が、ボビン２０の第１の鍔部２５Ａの導入溝２８の内側に挿入された状態で、導入溝２８の内縁部の全縁（底部の縁部および側縁部分の縁部）と隆起部３６の外面との間に連続する隙間Ｇ（図１０〜図１２参照）が存在するように、隆起部３６の寸法、形状を、導入溝２８の寸法、形状に応じて定めておく。ここでその隙間Ｇの具体的寸法(隙間の最小部分の寸法)は特に限定されないが、その隙間内において光ファイバ１１の傾斜方向の動きが許容され、しかも光ファイバ１１の動きによって光ファイバ１１がその隙間から簡単に離脱してしまわない程度に定めることが望ましい。具体的な隙間Ｇの寸法は、例えば２ｍｍ以上または３ｍｍ以上であればよい。但し、実際上は、隆起部３６の形状や寸法、あるいは導入溝２８に隆起部３６を挿入する際の制御精度などによっても、光ファイバ１１の入りやすさ及び離脱しやすさは異なるから、それらの条件に応じて隙間を適切に設定することが望ましい。例えば、隆起部３６の形状が半球状や円錐状の場合には隆起部３６を導入溝２８に挿入しやすく、また隆起部３６と導入溝２８との間の隙間のうち、底側の隙間が大きくなれば、光ファイバ１１が逃げやすくなり、さらに導入溝２８に隆起部３６を挿入する際の制御の誤差が大きくて、隆起部３６が導入溝２８内で片寄ってしまえば、光ファイバ１１が隙間に入りにくくなるから、これらの条件に応じて隙間を適切に定めることが望ましい。
【００３７】
なお、隆起部３６の頂部３６Ａが、第１の巻取部（幅狭巻取部）２１の外側の第１の鍔部２５Ａから離れ過ぎる場合には、後に改めて各部の寸法関係について説明するように、光ファイバの傾きが、第１の鍔部２５Ａを乗り越えるためには不十分となるおそれがある。一方、隆起部３６の頂部３６Ａが第１の鍔部２５Ａに当接すれば、隆起部３６と第１の鍔部２５Ａとの間に光ファイバが挟まれて円滑に巻き取りを進めることができなくなったり、光ファイバが損傷あるいは折れ曲がったりするおそれがあるから、隆起部３６の頂部（最大高さの箇所）３６Ａの高さ（挟持面３８の延長面からの高さ）は、第１の鍔部２５Ａに接しないような高さとすることが望ましい。このように、光ファイバ端末固定具３０の各部の寸法は、ボビン２０の各部の寸法に応じて適切に決定することが望ましく、その詳細については後述する。
【００３８】
図３、図４には、図１、図２に示した光ファイバ端末固定具３０と組合わせて使用される光ファイバ巻き取り用のボビン２０の一例を示す。
このボビン２０は、基本的には、図２５に示したものと同様に、小径の外側鍔部（第１の鍔部）２５Ａと、大径の中間鍔部（第２の鍔部）２５Ｂとの間に、中心軸線（回転軸線）Ｏに沿った方向への幅Ｗ１が小さい幅狭巻取部（第１の巻取部）２１が形成され、中間鍔部（第２の鍔部）２５Ｂと、大径の外側鍔部（第３の鍔部）２５Ｃとの間に、回転軸線に沿った方向への幅Ｗ２が大きい幅広巻取部（第２の巻取部）２３が形成されている。また一般のボビンと同様に、巻取機の回転軸（巻き取り軸）が挿通される軸孔２７が形成されている。そして、本例のボビン２０においては、幅広巻取部（第２の巻取部）２３の両側の大径鍔部（第２の鍔部２５Ｂおよび第３の鍔部２５Ｃ）に、外周側から切り込まれたスリット２２が形成されている。また幅広巻取部（第２の巻取部）２３の両側の大径鍔部（第２の鍔部２５Ｂおよび第３の鍔部２５Ｃ）の外面側に、補強用の複数条のリブ２９が設けられている。これらのリブ２７は必須のものではないが、鍔部の薄肉軽量化に伴う強度低下を補うために設けることが多い。
【００３９】
さらに、ボビン２０における幅狭の第１の巻取部２１の外側の第１の鍔部２５Ａの所定箇所には、その外周縁面２５Ａａから半径方向内側に切り込まれた導入溝２８が形成されている。この導入溝２８の詳細を、図５〜図７に示す。なお図５は、図３と同じく左側面における導入溝２８付近を拡大して示し、図６は図５のＶＩ−ＶＩ線における断面、図７は図６におけるＶＩＩ−ＶＩＩ線での断面を示している。
【００４０】
図５に示すように、導入溝２８は、ボビン２０の回転軸線に沿った方向から見た両側の側縁部２８Ａ、２８Ｂと、底縁部２８Ｃとの境界領域２８Ｄ、２８Ｅが、滑らかな彎曲状をなしており、また外側鍔部２５Ａの円周面状の外周縁面２５Ａａと導入溝２８の側縁部２８Ａ、２８Ｂとの境界領域２８Ｆ、２８Ｇも、同様に滑らかな彎曲状をなしている。
また図６、図７に示すように、外側鍔部２５Ａの外周縁面２５Ａａから、導入溝２８における前述の境界領域２８Ｆから、側縁部２８Ａ、境界領域２８Ｄ、底縁部２８Ａ、境界領域２８Ｄ、側縁部２８Ｂ、および境界領域２８Ｇを経て外側鍔部２５Ａの外周縁面２５Ａａに戻る部分は、厚み方向に沿った断面で見て、その角部が曲率半径Ｒで面取りされている。また、外側鍔部２５Ａの外周縁２５Ａａにおける導入溝２８以外の部分も、その厚み方向の断面の角部が面取りされていることが望ましい。
【００４１】
図１、図２に示した光ファイバ端末固定具３０を用いて、図３〜図７に示すボビン２０に光ファイバ１１を巻き取る方法、特に光ファイバ端末固定具３０によって光ファイバ１１の巻き始め端末を固定し、さらにボビン２０の第１の巻取部（幅狭巻取部）２１に光ファイバを巻き付けるための方法の一例について、図８〜図１０を参照して説明する。なお以下の説明では、光ファイバ端末固定具３０を、単に固定具３０と称することがある。
【００４２】
先ず、図８に示すように、光ファイバ端末固定具３０を、巻取機の回転軸（巻き取り軸）７に、その回転軸７と一体に回転するように装着する。さらにボビン２０を、その外側のの第１の鍔部２５Ａの外面が、固定具３０における円盤状基体３２の盤面（挟持面３８）に対向するように、巻取機の回転軸（巻き取り軸）７に取り付ける。この際、光ファイバ端末固定具３０とボビン２０との位置関係については、本例においては、固定具３０の隆起部３６が、ボビン２０の第１の鍔部２５Ａの導入溝２８の位置に対応するように設定しておく。
またボビン２０の装着の前もしくは後に、巻き取るべき光ファイバ１１の端末部分を、固定具３０の挟持面３８とボビン２０の第１の鍔部２５Ａとの間に位置するようにセットする（垂らしこむ）。この際、本例では、光ファイバ１１の一部が、固定具３０の隆起部３６と、ボビン２０の第１の鍔部２５Ａの導入溝２８と間に位置するように光ファイバ１１を位置決めしておく（垂らし込んでおく）。
【００４３】
次いで、図９に示しているように、ボビン２０の第１の鍔部２５Ａが、固定具３０の挟持面３８に接する位置まで移動させて、第１の鍔部２５Ａの外面を挟持面３８に押し付け、巻き取るべき光ファイバ１１の端末部分を、固定具３０の挟持面３８とボビン２０の第１の鍔部２５Ａとの間に挟み込んで、固定・保持させる。なおボビン２０を固定具３０の挟持面３８に押し付ける力は、巻取張力が掛かっても光ファイバ１１が滑らないように、固定具３０の挟持面３８およびボビン２０の第１の鍔部２５Ａの平坦面と光ファイバ１１の間の静摩擦係数、およびその間に挟む光ファイバ１１の長さに応じて適切に定めることが望ましい。
【００４４】
上述のようにして光ファイバ１１の端末部分を固定具３０の挟持面３８とボビン２０の外側の第１の鍔部２５Ａとの間に挟み込むと同時に、固定具３０の隆起部３６の一部が第１の鍔部２５Ａの導入溝２８内(隙間Ｇ内)に挿入される。それに伴って光ファイバ１１が、図９、図１０に示しているように、導入溝２８内に押し込まれ、さらにボビン２０の第２の鍔部（中間側鍔部）２５Ｂに向かって押しやられる。
すなわち、ｒ２＜ｒ３＜ｒ１の関係にあるため、隆起部３６の基端（立ち上がり箇所）３６Ｃａは、第１の鍔部２５Ａの導入溝２８の底部よりも外周側で、かつ第１の鍔部２５Ａの外周縁より内側に位置し、さらに隆起部３６は第２の鍔部（中間鍔部）２５Ｂに向かって突出（隆起）しており、そのため光ファイバ１１は、隆起部３６により、導入溝２８を通って第２の鍔部２５Ｂに向け押し込まれることになる。
【００４５】
続いてボビン２０を巻取方向に回転させれば、光ファイバ１１はボビン２０の外側の第１の鍔部２５Ａを乗り越えて、第１の巻取部（幅狭巻取部）２１に導入される。
【００４６】
ここで、上記の例では、固定具３０の挟持面３８とボビン２０の第１の鍔部２５Ａの外面との間に光ファイバ１１の端末部分を挟持する前の段階で、光ファイバ１１の一部を、固定具３０の隆起部３６と、ボビン２０の第１の鍔部２５Ａの導入溝２８と間に位置するように光ファイバ１１を位置決めしておく（垂らし込んでおく）こととしている。すなわち、光ファイバ１１の位置を、予め隆起部３６および導入溝２８の位置に合わせておくこととしている。
【００４７】
しかしながら、必ずしも光ファイバ１１の位置を、隆起部３６および導入溝２８の位置に合わせておく必要はない。すなわち、固定具３０の挟持面３８とボビン２０の第１の鍔部２５Ａの外面との間に垂らし込んだ光ファイバ１１が、隆起部３６および導入溝２８の位置から外れていても、ボビン２０を巻取方向に回転させれば、光ファイバ１１を、第１の鍔部２５Ａを乗り越えさせて、第１の巻取部（幅狭巻取部）２１に円滑に導入させることができる。その場合の例について、図１１の（a）、（b）、（c）および図１２の（a）、（b）を参照して説明する。
【００４８】
図１１の（a）、（b）、（c）には、ボビン２０の外側の第１の鍔部２５Ａに形成された導入溝２８および固定具３０の隆起部３６の位置が、光ファイバ１１の位置から外れていた場合について、ボビン２０を巻取方向に回転させた際の状況を段階的に示す。また図１２の（a）は、図１１の（b）におけるＸＩＩaの位置からの略解的な平面図、図１２の（b）は、図１１の（c）におけるＸＩＩbの位置からの略解的な平面図である。
【００４９】
図１１の上段の（a）に示す状態から、ボビン２０を巻き取り方向に回転（その回転方向を矢印で示す）させれば、光ファイバ１１の一部が導入溝２８および隆起部３６の位置に至ったときに、その光ファイバ１１の一部が隆起部３６によって内側（第２の鍔部２５Ｂの側）に押しやられながら、図１１の（b）および図１２の（a）に示すように、光ファイバ１１の一部が、導入溝２８の内縁と隆起部３６の外面との間の隙間Ｇに落ち込む。言い換えれば、ボビン２０および固定具３０が回転しながら、光ファイバ１１の一部が隆起部３６によって第２の鍔部２５Ｂに向かって押しやられるに伴って、光ファイバ１１の一部が導入溝２８内の隙間Ｇ内に引っ掛かる。さらにボビン２０を回転させれば、図１１の（ｃ）および図１２の（b）に示しているように、光ファイバ１１は、導入溝２８内の隙間Ｇを通って第１の鍔部２５Ａを乗り越え、第１の鍔部２５Ａの内側、すなわち第１の巻取部（幅狭巻取部）２１に導入される。
したがって、光ファイバ１１の巻き初め側端末部分を挟持・固定した際の光ファイバ１１の位置と導入溝２８および隆起部３６の位置との関係にかかわらず、光ファイバ１１の一部を、第１の鍔部２５Ａの内側の第１の巻取部（幅狭巻取部）２１に容易に導入することができる。
【００５０】
次に、光ファイバ端末固定具３０とボビン２０の各部の望ましい寸法関係について図１３〜図２１を参照して説明する。
各部の寸法を表す符号は、図１３に示すように、以下の通りである。
Ａ：第１の巻取部（幅狭巻取部）２１の幅（＝Ｗ１）。
Ｂ：第１の巻取部（幅狭巻取部）２１の外側の第１の鍔部２５Ａの厚み。
Ｃ１：第１の巻取部（幅狭巻取部）２１の外側の第１の鍔部２５Ａの高さ。
Ｃ２：第１の鍔部２５Ａに形成した導入溝２８の深さ。
Ｒ：導入溝２８の側縁が面取りされている場合の面取り部分の曲率半径(面取りされていない場合はＲ＝０)。
Ｄ：固定具３０の隆起部３６の高さ（挟持面３８の延長面から隆起部３６の頂部３６Ａまでの高さ）。
Ｅ：ボビン２０および固定具２０の半径方向における、第１の巻取部２１の外側の第１の鍔部２５Ａの外周縁から、隆起部３６の頂部３６Ａまでの距離。
Ｌ：ボビン２０の回転軸と平行な方向における、第１の鍔部２５Ａと第２の鍔部（中間鍔部）２５Ｂとの間の間隔（第２の鍔部２５Ｂの外側にリブ２９が形成されている場合には、第１の鍔部２５Ａの内面と、図１３中に示すようにリブ２９を含む第２の鍔部２５Ｂの最外面側の面との間の間隔）。
Ｈ：第２の巻取部（幅広巻取部）２３の外周面からの第２の鍔部（中間鍔部）２５Ｂの高さ。
【００５１】
なお図１３では、導入溝２８の深さＣ２は、第１の鍔部２５Ａの高さＣ１よりも小さいものとしているが、導入溝２８の深さＣ２は第１の鍔部２５Ａの高さＣ１と同じであっても良い。すなわちＣ１＝Ｃ２であってもよい。
【００５２】
上記のように各部の寸法を定義すれば、先ず、隆起部３６を持たない固定具（したがって従来と同様の平坦な円盤状の固定具；実質的に挟持面３８のみの固定具）を使用したと仮定する。そしてその場合でも、光ファイバの端末部分を挟持した後に、光ファイバを巻取部へ導くことが可能なボビン寸法の関係式は、次の（４）式で表すことができる。なおここでは、第１の鍔部２５Ａの導入溝２８は、その縁が面取りされていない（すなわち面取りの曲率半径Ｒ＝０）と仮定している。
【００５３】
【数４】
0005851453.tif 000005
【００５４】
（４）式について、次に図１４〜図１６を参照して説明する。なお図１４〜図１６では、説明の簡略化のため、第１の鍔部２５Ａのリブ２９については省略している。その点は、後に引用する図１７〜図１９および図２１も同様である。
（４）式の左辺は、図１４に模式的に示しているように、挟持面３８に挟持された光ファイバ１１を、導入溝２８の底部の挟持面３８側の箇所（面取りされていない縁）から第１の鍔部２５Ａの外周縁の位置（第２の鍔部２５Ｂの側の縁）との間に光ファイバ１１を張った場合の傾きを表している。一方、（４）式の右辺は、図１５に模式的に示しているように、挟持面３８から導入溝２８の底部を経て、第２の鍔部２５Ｂの外周縁部の角（第１の鍔部２５Ａの側の角）に、光ファイバ１１を張った場合の傾きを表している。
ここで上記（４）式の左辺が右辺より大きければ、従来例のような横移動部材（例えば図２２、図２３の符号１５）によって光ファイバ１１を第２の鍔部２５Ｂの角に接触するまでボビン２０側へ押し込めば、光ファイバ１１は、導入溝２８を跨いで引っ掛かることにより、巻取部２１に導かれる。その時のボビン２０と光ファイバ１１との位置関係は、導入溝２８を真上から見れば、図１６に示す状況となる。
【００５５】
導入溝２８の側縁が曲率半径Ｒで面取り（または縁端から面取り開始点までの距離Ｒで面取り）されている場合は、上記（４）式は、次の（５）式に変形される。
【００５６】
【数５】
0005851453.tif 000006
【００５７】
導入溝２８の側縁が曲率半径Ｒで面取りされている場合の上記（５）式における左辺の状況を図１７、右辺の状況を図１８に示す。導入溝２０の側縁が図１７〜図１９のように面取りされている場合、光ファイバ１１が導入溝２８の面取り箇所に押し付けられれば、光ファイバ１１はその面取りされた曲面に沿って滑り、巻取部２１に導かれると考えられる。この時のボビン２０と光ファイバ１１との位置関係は、導入溝２８を真上から見れば図１９のようになる。
【００５８】
以上では、本発明の光ファイバ端末固定具３０において特徴的な隆起部３６を持たない固定具を使用し、横移動部材を用いて従来法に従った巻き取りを行なった場合に巻き取り可能な条件を示したが、隆起部３６を持つ本発明の固定具を用いれば、逆に上記の条件を満たさない場合、すなわち横移動部材を用いても自動的な巻き取りが困難であった場合にも、巻き取りを行なうことが可能となる。これは、上記の（４）式または（５）式を満たさない場合において、本発明が効果を発揮することを意味する。従って、本発明を適用する際に最適なボビン寸法の関係式は、次の（６）式（既に示した（１）式と同じ）のように表わされる。なお導入溝２８の側縁が面取りされていない場合は、（６）式においてＲ＝０とすればよい。
【００５９】
【数６】
0005851453.tif 000007
【００６０】
ここで、光ファイバ１１を誘導する目的で導入溝２８を用いる場合は、光ファイバ１１が引っ掛かる条件を満たす導入溝２８であることが求められる。その条件とは、図２０に示すように、導入溝２８に引っ掛かった状態の光ファイバ１１の接線軌道Ｐよりも外周側へ（すなわち接線軌道Ｐに対して矢印Ｑ側に）、導入溝２８の端部の鍔部外周縁面部分Ｓが隆起していることである。そのような条件を満たす形状の導入溝２８であれば、光ファイバ１１を導入溝２８に引っ掛けることが可能となる。
【００６１】
前記の条件を満たす導入溝２８を利用し、隆起部３６を持つ固定具３０を使用して巻き取りを行う場合の、固定具３０およびボビン２０の各部の最適な寸法関係について、図２１を参照して以下に述べる。
まず、光ファイバ１１が導入溝２８を跨いで巻取部２１に導入される条件は次の（７）式（既に示した（２）式と同じ）で表される。
【００６２】
【数７】
0005851453.tif 000008
【００６３】
（７）式の左辺は、図２１に示すように、挟持面３８から導入溝２８の底部を経て、固定具３０の隆起部３６の頂部３６Ａに当接するように張った光ファイバ１１の傾きを示している。また（７）式の右辺は、図１５、図１８に示したように、挟持面３８から導入溝２８の底部を経て、第２の鍔部（中間鍔部）２５Ｂの外周縁上において面取りが始まる境界（第１の巻取部２１の側）に接するように張った光ファイバ１１の傾きを示している。（７）式における左辺が右辺よりも小さいということは、固定具３０の隆起部３６の先端（頂部３６Ａ）により光ファイバ１１を第２の鍔部２５Ｂの側へ押し込むことによって、光ファイバ１１が導入溝２８を通って外側の第１の鍔部２５Ａを越え、第１の巻取部（幅狭巻取部）２１に導かれることを意味している。
【００６４】
ただし、固定具３０の隆起部３６の先端（頂部３６Ａ）が第１の巻取部（幅狭巻取部）２１の領域を完全に越えてしまえば、第２の鍔部２５Ｂに隆起部３６の先端が当たってしまうから、次の（８）式（既に示した（３）と同じ）が満たされることが望ましい。
【００６５】
【数８】
0005851453.tif 000009
【００６６】
なお上記の（８）式を踏まえれば、前述の（７）式は、次の（９）式で表すこともできる。
【００６７】
【数９】
0005851453.tif 000010
【００６８】
なお、（９）式におけるＥが小さい（隆起部３６の頂部３６Ａと第１の鍔部３５Ａの外周縁が近い）ほど、光ファイバ１１を小さく曲げることになるため、Ｅの下限は、光ファイバ１１の許容曲げ径によって定められる。
【００６９】
以上のように、（６）式、（７）式、（８）式で規定される各条件、言い換えれば、（１）式、（２）式、（３）式で規定される各条件を満たす寸法のボビン２０および光ファイバ端末固定具３０を組合わせて光ファイバの巻き取りを行なえば、幅の狭い巻取部に対しても、端末が固定具の挟持面とボビンの外側の鍔部（第１の鍔部）との間に挟持されて固定された光ファイバを、確実かつ容易に幅の狭い巻取部に導入することができる。すなわち、端末が固定された光ファイバを、巻き取り開始時のボビンの回転に伴って幅の狭い巻取部に自動的に導入することができる。したがって、適宜プログラムを組んでおけば、光ファイバの巻き始め端末を固定してからボビンへの巻き取りを行なう工程を自動化することが可能となる。
【００７０】
また、本発明の場合、光ファイバを誘導するための部分（隆起部３６）が、巻取機に装着される光ファイバ端末固定具３０に一体化されているため、特に装置占有面積を増大させることなく、必要最小限の占有空間で本発明の巻き取り方法を実施することができる。
さらに、光ファイバの巻き始め端末を固定具３０とボビン鍔側面との間に挟んで固定するだけで、光ファイバを巻取部に導入する準備が完了する。従って巻き始め端末の固定後に、改めて光ファイバを誘導するための装置を動かす必要がないため、巻取開始までに要する時間も増加しない。
【００７１】
なお、前述のようにして幅の狭い第１の巻取部２１に光ファイバ１１を巻き取った後、継続して第２の巻取部２３に光ファイバ１１を巻き取る場合、たとえば第２の鍔部２５Ｂに形成されているスリット２２（図３参照）を通して、光ファイバ１１を第１の巻取部２１から第２の巻取部２３に導けば良く、したがって第１の巻取部２１での巻き取りから第２の巻取部２３出の巻き取りの移行も、容易に自動化することが可能である。
【００７２】
前述の各条件を満たす２種類のボビンＡ、ボビンＢ及び１種類の光ファイバ端末固定具を用いて、光ファイバの固定（固定具３０の挟持面３８とボビン２０の第１の鍔部３５Ａとの間での挟持）及び巻取実験を行った。
実験を行った２種類のボビンＡ、ボビンＢ及び1種類の光ファイバ端末固定具の各部位の寸法を下記の表1に示す。さらにそれらの各寸法が、（１）式、（２）式、（３）式を満たすことを検証した結果を表２に示す。
【００７３】
【表１】
0005851453.tif 000011
【００７４】
【表２】
0005851453.tif 000012
【００７５】
各ボビンＡ、Ｂを、それぞれ光ファイバ端末固定具と組合わせ、光ファイバの巻き初め側の端末を、固定具の挟持面３８とボビンの第１の鍔部２５Ａの外側面との間で挟持固定し、その後にボビンを回転させて光ファイバを導入溝２８から第１の巻取部（幅狭巻取部）２１へ導き、一定長巻き取るという実験を行ったが、いずれの場合においても、光ファイバを円滑に第１の巻取部（幅狭巻取部）２１に巻き取ることができた。
【００７６】
なお上述の各実施形態では、幅の狭い第１の巻取部（幅狭巻取部）２１と、幅の広い第２の巻取部（幅広巻取部）２３とを有するボビン２０を用いて、幅の狭い第１の巻取部（幅狭巻取部）２１に光ファイバ１１を巻き取る場合について説明したが、幅の狭い巻取部のみを単独で有するボビンに巻き取る場合にも、本発明の光ファイバ端末固定具、および本発明の巻き取り方法を適用しうることはもちろんである。
【００７７】
以上、本発明の好ましい実施形態および実験例を説明したが、本発明はこれらの実施形態、実験例に限定されないことはもちろんである。本発明の趣旨を逸脱しない範囲で、構成の付加、省略、置換、およびその他の変更が可能である。
【符号の説明】
【００７８】
１１・・・光ファイバ、２０・・・ボビン、２１・・・第１の巻取部（幅狭巻取部）、２３・・・第２の巻取部（幅広巻取部）、２５Ａ・・・第１の鍔部、２５Ｂ・・・第２の鍔部（中間鍔部）、２５Ｃ・・・第３の鍔部、２８・・・導入溝、３０・・・光ファイバ端末固定具、３２・・・円盤状基体、３６・・・隆起部、３６Ａ・・・頂部、３８・・・挟持面。
【図１】
0005851453.tif 000016
【図２】
0005851453.tif 000017
【図３】
0005851453.tif 000018
【図４】
0005851453.tif 000019
【図５】
0005851453.tif 000020
【図６】
0005851453.tif 000021
【図７】
0005851453.tif 000022
【図８】
0005851453.tif 000023
【図９】
0005851453.tif 000024
【図１０】
0005851453.tif 000025
【図１１】
0005851453.tif 000026
【図１２】
0005851453.tif 000027
【図１３】
0005851453.tif 000028
【図１４】
0005851453.tif 000029
【図１５】
0005851453.tif 000030
【図１６】
0005851453.tif 000031
【図１７】
0005851453.tif 000032
【図１８】
0005851453.tif 000033
【図１９】
0005851453.tif 000034
【図２０】
0005851453.tif 000035
【図２１】
0005851453.tif 000036
【図２２】
0005851453.tif 000037
【図２３】
0005851453.tif 000038
【図２４】
0005851453.tif 000039
【図２５】
0005851453.tif 000040
【図２６】
0005851453.tif 000041